(57)【要約】【課題】開閉部が入状態のときに吊り上げられることを防止することができる開閉器を提供することを課題とする。【解決手段】  一次側の電線Ｃ１を接続する第一接続部２０及び二次側の電線Ｃ２を接続する第二接続部２１を有する開閉器本体２と、該開閉器本体２に対して姿勢変更可能に設けられ、姿勢変更に伴い、前記第一接続部２０に接続された電線Ｃ１と前記第二接続部２１に接続された電線Ｃ２とを電気的に接続した入状態と、前記第一接続部２０に接続された電線Ｃ１と前記第二接続部２１に接続された電線Ｃ２とを縁切した切状態とに切替可能な開閉部３と、前記開閉器本体２に対して着脱可能な吊上部材４と、前記開閉部４が入状態ではなく切状態のときに前記吊上部材４を前記開閉器本体２に固定可能とするロック部材５とを備える。【選択図】図１
2013192346.tif 000002
【特許請求の範囲】
【請求項１】
一次側の電線を接続する第一接続部及び二次側の電線を接続する第二接続部を有する開閉器本体と、該開閉器本体に対して姿勢変更可能に設けられ、姿勢変更に伴い、前記第一接続部に接続された電線と前記第二接続部に接続された電線とを電気的に接続した入状態と、前記第一接続部に接続された電線と前記第二接続部に接続された電線とを縁切した切状態とに切替可能な開閉部と、前記開閉器本体に対して着脱可能な吊上部材と、前記開閉部が入状態ではなく切状態のときに前記吊上部材を前記開閉器本体に固定可能とするロック手段とを備えることを特徴とする開閉器。
【請求項２】
前記ロック手段が前記吊上部材を前記開閉器本体に固定するためのロック操作状態となっているときに前記開閉部の姿勢変更を規制し、前記ロック手段のロック操作状態が解除されているときに前記開閉部の姿勢変更に対する規制を解除可能な規制手段を備えることを特徴とする請求項１に記載の開閉器。
【請求項３】
前記ロック手段は、前記開閉器本体に設けられるロック部材本体であって、前記吊上部材を挿込可能なロック部材本体と、該ロック部材本体に挿し込まれた前記吊上部材の抜け止めを行う抜止部材と、前記ロック部材本体に挿し込まれた前記吊上部材が前記抜止部材によって抜け止めされている状態と、前記ロック部材本体に挿し込まれた前記吊上部材に対する前記抜止部材の抜け止めが解除された状態とを切替可能な切替部材とを備えることを特徴とする請求項１又は２に記載の開閉器。
【請求項４】
前記規制手段は、長尺に形成され、長手方向で第一端と該第一端とは反対側の第二端とを有し、前記規制手段の第一端は、前記切替部材に連結され、前記規制手段の第二端は、前記開閉部に連結され、前記規制手段の長さは、前記開閉部が入状態ではなく切状態のときに前記切替部材が前記ロック部材本体に到達可能な長さに設定されることを特徴とする請求項２に従属する請求項３に記載の開閉器。
【発明の詳細な説明】
【技術分野】
【０００１】
本発明は、一次側の電線と二次側の電線とを電気的に接続した状態又は縁切りした状態に切り替える開閉器に関する。
【背景技術】
【０００２】
電力を供給する架線を支持する支持物（例えば、電柱）や、架線に電気的に接続されている変圧器等の設置物に対し、各種工事（例えば、取換工事や増設工事等）が行われることがある。
【０００３】
このような工事では、工事区間のみを停電させる停電作業が行われる。より具体的に説明すると、工事区間よりも一次側の架線に分岐線（以下、第一分岐線とする）を接続し、工事区間よりも二次側の架線に別の分岐線（以下、第二分岐線とする）を接続し、第一分岐線と第二分岐線とを電気的に接続することで、工事区間のみを停電させる。
【０００４】
上述の停電作業を行う場合、第一分岐線と第二分岐線とを直接電気的に接続すると、第一分岐線と第二分岐線とが直ちに充電状態になり、危険である。そのため、上述の停電作業を行う場合、第一分岐線と第二分岐線とを電気的に接続した状態又は縁切りした状態に切り替える開閉器（いわゆる工事用開閉器）が用いられている。
【０００５】
かかる開閉器として、第一分岐線を接続する第一接続部及び第二分岐線を接続する第二接続部を有する開閉器本体と、該開閉器本体に対して姿勢変更可能に設けられ、姿勢変更に伴い、第一接続部に接続された第一分岐線と第二接続部に接続された第二分岐線とを電気的に接続した入状態と、第一接続部に接続された第一分岐線と第二接続部に接続された第二分岐線とを縁切した切状態とに切替可能な開閉部と、開閉器本体に設けられる吊上部材とを備えるものがある（例えば、特許文献１参照）。また、この種の開閉器は、切状態における開閉部の姿勢変更を規制可能な規制部材を備えている。
【０００６】
この種の開閉器では、電柱の上部に設置するにあたり、開閉部が切状態に切り替えられる。そして、開閉部に規制部材を連結することで開閉部の姿勢変更が規制される。このような状態で、吊上部材が吊り上げられた後に、開閉器が電柱の上部に設置される。
【０００７】
そして、開閉器の第一接続部に第一分岐線が接続され、開閉器の第二接続部に第二分岐線が接続された後に、規制部材が開閉部から取り外される。さらに、開閉部が切状態から入状態に変更されることで、第一分岐線と第二分岐線とが電気的に接続される。このようにして、この種の開閉器では、第一分岐線と第二分岐線とが電気的に接続される。
【先行技術文献】
【特許文献】
【０００８】
【特許文献１】特開平９−２１５１４３号公報
【発明の概要】
【発明が解決しようとする課題】
【０００９】
ところで、上記構成の開閉器は、吊上部材が吊り上げられるにあたり、作業者が開閉部を切状態にすることを失念すると、開閉部が入状態になっているままで開閉器が電柱の上部に設置されることになる。このような場合、第一接続部に第一分岐線が接続され、第二接続部に第二分岐線が接続された時点で直ちに充電状態になるため、危険である。
【００１０】
そこで、本発明は、かかる実情に鑑み、開閉部が入状態のときに吊り上げられることを防止することができる開閉器を提供することを課題とする。
【課題を解決するための手段】
【００１１】
本発明に係る開閉器は、一次側の電線を接続する第一接続部及び二次側の電線を接続する第二接続部を有する開閉器本体と、該開閉器本体に対して姿勢変更可能に設けられ、姿勢変更に伴い、前記第一接続部に接続された電線と前記第二接続部に接続された電線とを電気的に接続した入状態と、前記第一接続部に接続された電線と前記第二接続部に接続された電線とを縁切した切状態とに切替可能な開閉部と、前記開閉器本体に対して着脱可能な吊上部材と、前記開閉部が入状態ではなく切状態のときに前記吊上部材を前記開閉器本体に固定可能とするロック手段とを備えることを特徴とする。
【００１２】
上記構成の開閉器によれば、開閉器本体に対して着脱可能な吊上部材と、開閉部が入状態ではなく切状態のときに吊上部材を開閉器本体に固定可能とするロック手段とを備える。そのため、開閉部が入状態のときに吊上部材を用いて開閉器を吊り上げようとすると、吊上部材が開閉器本体から外れてしまう。そのため、開閉部が入状態になっているままで開閉器を吊り上げることはできない。一方、開閉部を切状態にし、ロック手段によって吊上部材を開閉器本体に固定することで、吊上部材を用いて開閉器を吊り上げることができるようになる。
【００１３】
この場合、前記ロック手段が前記吊上部材を前記開閉器本体に固定するためのロック操作状態となっているときに前記開閉部の姿勢変更を規制し、前記ロック手段のロック操作状態が解除されているときに前記開閉部の姿勢変更に対する規制を解除可能な規制手段を備えるようにしてもよい。
【００１４】
このようにすれば、吊上部材を開閉器本体に固定するのに伴い、開閉部の姿勢変更が規制される。そのため、吊上部材が吊り上げられているときに開閉部に外力が作用しても、該開閉部が姿勢変更されることを防止できる。すなわち、開閉部が切状態から入状態に切り替わることを防止したうえで、開閉器を吊り上げることができる。
【００１５】
本発明の一態様として、前記ロック手段は、前記開閉器本体に設けられるロック部材本体であって、前記吊上部材を挿込可能なロック部材本体と、該ロック部材本体に挿し込まれた前記吊上部材の抜け止めを行う抜止部材と、前記ロック部材本体に挿し込まれた前記吊上部材が前記抜止部材によって抜け止めされている状態と、前記ロック部材本体に挿し込まれた前記吊上部材に対する前記抜止部材の抜け止めが解除された状態とを切替可能な切替部材とを備えるようにしてもよい。
【００１６】
このようにすれば、切替部材によって、ロック部材本体に挿し込まれた吊上部材が抜止部材で抜け止めされている状態に切り替えることができる。すなわち、切替部材によって、吊上部材が開閉器本体に固定された状態にすることができる。これにより、吊上部材を吊上可能な状態にすることができる。
【００１７】
この場合、前記規制手段は、長尺に形成され、長手方向で第一端と該第一端とは反対側の第二端とを有し、前記規制手段の第一端は、前記切替部材に連結され、前記規制手段の第二端は、前記開閉部に連結され、前記規制手段の長さは、前記開閉部が入状態ではなく切状態のときに前記切替部材が前記ロック部材本体に到達可能な長さに設定されるようにしてもよい。
【００１８】
このようにすれば、開閉部が入状態になっていると、切替部材が開閉部に到達できなくなる。すなわち、吊上部材を開閉器本体に固定するには、開閉部を入状態から切状態に切り替える必要がある。従って、開閉部が入状態のときに吊上部材が吊り上げられることをより確実に防止できる。
【発明の効果】
【００１９】
以上のように、本発明に係る開閉器は、開閉部が入状態のときに吊り上げられることを防止することができるという優れた効果を奏し得る。
【図面の簡単な説明】
【００２０】
【図１】図１は、本発明の一実施形態に係る開閉器の斜視図である。
【図２】図２は、本発明の一実施形態に係る開閉器の正面図である。
【図３】図３は、本発明の一実施形態に係る開閉器における吊上部材及びロック部材及び規制部材の分解斜視図である。
【図４】図４は、本発明の一実施形態に係る開閉器の状態を説明する正面図であって、図４（ａ）は、ハンドル部が入姿勢になっている状態の開閉器の正面図を示し、図４（ｂ）は、ハンドル部が切姿勢になっている状態の開閉器の正面図を示す。
【図５】図５は、本発明の一実施形態に係る開閉器の状態を説明する部分拡大図であって、図５（ａ）は、吊上部材が抜け止めされていない状態の開閉器の部分拡大図を示し、図５（ｂ）は、吊上部材が抜け止めされている状態の開閉器の部分拡大図を示す。
【発明を実施するための形態】
【００２１】
以下、本発明の一実施形態に係る開閉器について、添付図面を参照しつつ説明を行う。  本実施形態に係る開閉器は、第一分岐線と第二分岐線とを電気的に接続した状態又は縁切りした状態に切り替えるためのいわゆる工事用開閉器である。
【００２２】
より具体的に説明すると、図１、図２に示す如く、本実施形態に係る開閉器１は、第一分岐線Ｃ１を接続する第一接続部２０及び第二分岐線Ｃ２を接続する第二接続部２１（図２参照）を有する開閉器本体２と、該開閉器本体２に対して姿勢変更可能に設けられ、姿勢変更に伴い、第一接続部２０に接続された第一分岐線Ｃ１と第二接続部２１に接続された第二分岐線Ｃ２とを電気的に接続した入状態と、第一接続部２０に接続された第一分岐線Ｃ１と第二接続部２１に接続された第二分岐線Ｃ２とを縁切した切状態とに切替可能な開閉部３と、開閉器本体２に対して着脱可能な吊上部材４と、開閉部３が入状態ではなく切状態のときに吊上部材４を開閉器本体２に固定可能とするロック手段５とを備えている。
【００２３】
また、開閉器１は、ロック手段５が吊上部材４を開閉器本体２に固定するためのロック操作状態となっているときに開閉部３の姿勢変更を規制し、ロック手段５のロック操作状態が解除されているときに開閉部３の姿勢変更に対する規制を解除可能な規制手段としての規制部材６を備えている。
【００２４】
開閉器本体２は、第一分岐線Ｃ１及び第二分岐線Ｃ２の方向（以下、第一方向とする）と交差する方向（以下、第二方向とする）における一方側に、表示部２２をさらに有する。開閉器本体２は、外観箱状に形成されている。第一接続部２０と第二接続部２１とは、図２に示す如く、第一方向で並ぶように開閉器本体２に設けられている。
【００２５】
第一接続部２０は、第一方向における開閉器本体２の一方側に設けられている。本実施形態では、三つの第一接続部２０，２０，２０が開閉器本体２に設けられている。三つの第一接続部２０，２０，２０のそれぞれは、第二方向で互いに間隔をあけて設けられている。
【００２６】
第一接続部２０，２０，２０のそれぞれには、第一分岐線Ｃ１が接続されたブッシングＢが挿し込まれる。これにより、第一接続部２０，２０，２０のそれぞれに対して第一分岐線Ｃ１が接続される。
【００２７】
第二接続部２１は、第一方向における開閉器本体２の他方側に設けられている。本実施形態では、三つの第二接続部２１，２１，２１が開閉器本体２に設けられている。三つの第二接続部２１，２１，２１のそれぞれは、第二方向で互いに間隔をあけて設けられている。
【００２８】
第二接続部２１，２１，２１のそれぞれには、第二分岐線Ｃ２が接続されたブッシングＢが挿し込まれる。これにより、第二接続部２１，２１，２１のそれぞれに対して第二分岐線Ｃ２が接続される。
【００２９】
表示部２２は、開閉部３が切状態であることを確認するための第一表示部２２０と、開閉部３が入状態であることを確認するための第二表示部２２１とを備えている。第一表示部２２０と第二表示部２２１とは、第一方向で並ぶように設けられている。
【００３０】
図１に戻り、開閉部３は、開閉器本体２に対して姿勢変更可能な操作部３０を備える。  操作部３０は、第一方向及び第二方向のそれぞれと直交する方向（以下、第三方向とする）における一方側に設けられている。操作部３０は、第三方向における開閉器本体２の一方側から延出する支軸３００と、該支軸３００が挿通されるハンドル部３０１とを備える。
【００３１】
ハンドル部３０１は、一方向に長手をなす板状に形成されている。また、ハンドル部３０１は、長手方向に第一端と、該第一端とは反対側の第二端とを有する。そして、ハンドル部３０１は、長手方向における途中位置（本実施形態では、長手方向における中央部）で屈曲している。
【００３２】
ハンドル部３０１の長手方向における中央部には、支軸３００が挿通されている。これにより、ハンドル部３０１は、支軸３００の軸心周りで回転可能になっている。すなわち、ハンドル部３０１は、支軸３００の軸心周りで回転することで開閉器本体２に対して姿勢変更するようになっている。そのため、開閉部３は、ハンドル部３０１を開閉器本体２に対して姿勢変更させることで入状態と切状態とが切り替わるようになっている。本実施形態では、開閉部３が入状態になっているときのハンドル部３０１の姿勢を入姿勢とし、開閉部３が切状態になっているときのハンドル部３０１の姿勢を切姿勢として以降の説明を行う。
【００３３】
ハンドル部３０１の第一端側には、第一貫通穴３０１ａが設けられている。ハンドル部３０１の第二端側には、第二貫通穴３０１ｂが設けられている。
【００３４】
ハンドル部３０１は、切姿勢に姿勢変更されると、第一端側が第二方向で第一表示部２２０と対応する位置に移動するように構成されている。また、ハンドル部３０１は、入姿勢に姿勢変更されると、第二端側が第二方向で第二表示部２２１と対応する位置に移動するように構成されている。
【００３５】
これにより、開閉器１は、ハンドル部３０１の開閉器本体２に対する姿勢と、表示部２２（第一表示部２２０及び第二表示部２２１）とを確認することで、開閉部３の状態を把握できるように構成されている。
【００３６】
図３に示す如く、吊上部材４は、一方向に長手をなす挿込部４０であって、長手方向で第一端と該第一端とは反対側の第二端とを有する一対の挿込部４０，４０と、該一対の挿込部４０，４０のそれぞれの第一端同士を繋ぐ被掛止部４１とを備える。本実施形態では、一対の挿込部４０，４０のそれぞれと被掛止部４１とが一体的に形成されている。
【００３７】
一対の挿込部４０，４０のそれぞれの第二端側には、嵌合溝４００が設けられている。一対の嵌合溝４００，４００のそれぞれは、挿込部４０の中心部から径方向外方に向けて開口するように設けられている。また、一対の嵌合溝４００，４００のそれぞれは、同方向に向けて開口するように設けられている。
【００３８】
ロック手段５は、吊上部材４を開閉器本体２に固定するとともに開閉部３の姿勢変更を規制し、吊上部材４の開閉器本体２に対する固定を解除するとともに開閉部３の姿勢変更に対する規制を解除可能な状態になるように構成される。
【００３９】
より具体的に説明すると、ロック手段５は、開閉器本体２に設けられるロック部材本体５０であって、吊上部材４を挿込可能なロック部材本体５０と、ロック部材本体５０に挿し込まれた吊上部材４の抜け止めを行う抜止部材５１と、ロック部材本体５０に挿し込まれた吊上部材４が抜止部材５１によって抜け止めされている状態と、ロック部材本体５０に挿し込まれた吊上部材４に対する抜止部材５１の抜け止めが解除された状態とを切替可能な切替部材５２とを備える。
【００４０】
ロック部材本体５０は、一方向に長手をなして形成される。また、ロック部材本体５０は、長手方向で第一端と、該第一端とは反対側の第二端とを有する。そして、ロック部材本体５０には、第一端から第二端に向けて延びる丸穴５００が設けられている。さらに、ロック部材本体５０には、長手方向で間隔をあけて設けられる一対の挿込穴５０１，５０１が設けられる。一対の挿込穴５０１，５０１のそれぞれは、丸穴５００と連通している。一対の挿込穴５０１，５０１のそれぞれの穴径は、吊上部材４の挿込部４０を挿し込むことができる大きさに設定されている。そして、一対の挿込穴５０１，５０１同士の間隔は、吊上部材４の一対の挿込部４０，４０同士の間隔と同一に設定されている。
【００４１】
抜止部材５１は、ロック部材本体５０の丸穴内５００の内部に配置されている。本実施形態に係る抜止部材５１は、中心線方向に第一端と該第一端とは反対側の第二端とを有する円柱状の回転部５１０と、回転部５１０の第一端から延出するブレード部５１１と、回転部５１０の第二端に配置される円柱状の閉塞部５１２とを備える。
【００４２】
回転部５１０の外径は、丸穴５００の穴径と略同一となるように設定されている。そして、回転部５１０は、ロック部材本体５０に対して回転可能になっている。回転部５１０には、第二端から第一端に向けて延びる挿入穴５１０ａが設けられている。回転部５１０の挿入穴５１０ａを画定する部分には、第二端から第一端に向けて真っ直ぐに延びる第一溝５１０ｂが設けられている。
【００４３】
ブレード部５１１は、一方向に長手をなす平板状に形成されている。また、ブレード部５１１は、長手方向に第一端と該第一端とは反対側の第二端とを有する。ブレード部５１１の第一端は、回転部５１０の第一端における、該回転部５１０の軸心から位置ずれした部分に設けられている。これにより、ブレード部５１１は、回転部５１０が回転すると、該回転部５１０の軸心周りで移動するようになっている。
【００４４】
閉塞部５１２は、中心線方向に第一端と該第一端とは反対側の第二端とを有する。閉塞部５１２の外径は、丸穴５００の穴径と略同一となるように設定されている。また、閉塞部５１２は、ロック部材本体５０に対して回転不能に設けられている。
【００４５】
そして、閉塞部５１２には、軸心方向で貫通する挿込口５１２ａが設けられている。閉塞部５１２の挿込口５１２ａを画定する部分には、第二端から第一端に亘って真っ直ぐに延びる第二溝５１２ｂが設けられている。
【００４６】
閉塞部５１２の挿込口５１２ａは、回転部５１０の挿入穴５１０ａと対応する位置に設けられている。そのため、閉塞部５１２の挿込口５１２ａは、回転部５１０の挿入穴５１０ａと連続して一つの穴を形成するようになっている。
【００４７】
さらに、ロック部材本体５０では、閉塞部５１２の第二溝５１２ｂに対して回転部５１０の第一溝５１０ｂを連続させることができるようになっている。具体的に説明すると、ロック部材本体５０は、回転部５１０を回転させて第一溝５１０ｂの位置を変化させると、閉塞部５１２の第二溝５１２ｂに対して回転部５１０の第一溝５１０ｂが連続している状態と、閉塞部５１２の第二溝５１２ｂに対して回転部５１０の第一溝５１０ｂが連続していない状態とに切り替わるようになっている。
【００４８】
切替部材５２は、軸心方向に第一端と該第一端とは反対側の第二端とを有する円柱部５２０と、該円柱部５２０の外周面から径方向外方に突出する突出部５２１とを備えている。また、切替部材５２は、円柱部５２０の第一端に設けられる把持部５２２を備えている。
【００４９】
円柱部５２０の外径は、閉塞部５１２の挿込口５１２ａの穴径及び回転部５１０の挿入穴５１０ａの穴径のそれぞれと略同一の大きさとなるように設定されている。
【００５０】
突出部５２１は、円柱部５２０の第二端から円柱部５２０の第一端に向けて真っ直ぐに延びている。突出部５２１の長手方向の寸法は、回転部５１０の第一溝の長手方向の寸法と略同一となるように設定されている。これにより、突出部５２１は、円柱部５２０が第一端側から閉塞部５１２の挿込口５１２ａ及び回転部５１０の挿入穴５１０ａのそれぞれに挿し込まれた状態において、回転部５１０の第一溝５１０ｂのみに入り込むようになっている。そして、把持部５２２は、平板状に形成され、円柱部５２０の第二端に設けられている。
【００５１】
規制部材６は、長尺に形成されている。また、規制部材６は、長手方向で第一端と該第一端とは反対側の第二端とを有する。規制部材６の第一端は、切替部材５２（本実施形態では、切替部材５２の把持部５２３）に連結されている。規制部材６の第二端は、開閉部３（本実施形態では、開閉部３のハンドル部３０１に設けられた第一貫通穴３０１ａ）に連結されている。
【００５２】
そして、規制部材６の長さは、開閉部３が切状態になっているときに切替部材５２がロック部材本体５０に到達可能な長さに設定されている。これにより、ハンドル部３０１の姿勢が入姿勢になっているときに、切替部材５２をロック部材本体５０に到達させることができないようになっている。すなわち、第一接続部２０に接続される第一分岐線Ｃ１と、第二接続部２１に接続される第二分岐線Ｃ２とを縁切り可能な状態のときに、吊上部材４を開閉器本体２に固定することができるようになっている。
【００５３】
本実施形態に係る開閉器１は、以上の通りであり、続いて、該開閉器１を電柱に設置する作業について、添付図面を参照しつつ説明を行う。
【００５４】
開閉器１を電柱に設置する場合、開閉部３（操作部３０）の確認が行われる。本実施形態に係る開閉器では、ハンドル部３０１の姿勢が確認される。そして、図４（ａ）に示す如く、開閉部３が入状態になっている場合、ハンドル部３０１の姿勢を入姿勢から切姿勢に切り替えることで、開閉部３が入状態から切状態に切り替えられる。
【００５５】
これにより、第一接続部２０に第一分岐線Ｃ１が接続され、第二接続部２１に第二分岐線Ｃ２が接続されても、第一分岐線Ｃ１と第二分岐線Ｃ２とを縁切りできる状態になる。また、図４（ｂ）に示す如く、切替部材５２をロック部材本体５０に到達させることができるようになる。すなわち、切替部材５２がロック部材５の閉塞部５１２及び回転部５１０に挿込可能な状態になる。
【００５６】
このような状態で、図５（ａ）に示す如く、切替部材５２が閉塞部５１２及び回転部５１０に挿し込まれる。そして、切替部材５２を該切替部材５２の軸心周りで回転させる。このようにすると、該切替部材５２は、突出部５２１が回転部５１０の第一溝５１０ｂを画定する部分を押しながら自身の軸心周りで回転する。
【００５７】
これに伴い、切替部材５２を閉塞部５１２、及び回転部５１０から引き抜こうとすると、該切替部材５２の突出部５２１が閉塞部５１２の第二端に引っ掛かる。すなわち、切替部材５２が閉塞部５１２及び回転部５１０に対して抜け止めされた状態になる。
【００５８】
また、ブレード部５１１が姿勢を変えながら切替部材５２の軸心周りで回転する。そのため、図５（ｂ）に示す如く、ブレード部５１１が一対の挿込部４０，４０のそれぞれの嵌合溝４００，４００に嵌る。これにより、吊上部材４が抜止部材５１によって抜け止めされる。
【００５９】
このような状態で、吊上部材４が吊り上げられて、開閉器１が電柱の上部に設置される。そして、三つの第一接続部２０，２０，２０のそれぞれに第一分岐線Ｃ１を接続し、三つの第二接続部２１，２１，２１のそれぞれに第二分岐線Ｃ２を接続する。さらに、ハンドル部３０１の姿勢を切姿勢から入姿勢に姿勢変更することで、開閉部３が切状態から入状態に切り替えられる。これにより、第一分岐線Ｃ１と第二分岐線Ｃ２とを電気的に接続することができる。
【００６０】
以上のように、本実施形態に係る開閉器１によれば、開閉器本体２に対して着脱可能な吊上部材４と、開閉部３が切状態のときに吊上部材４を開閉器本体２に固定可能なロック手段５とを備える。そのため、開閉部３が入状態のときに吊上部材４を用いて開閉器１を吊り上げようとすると、吊上部材４が開閉器本体２から外れてしまう。そのため、開閉部３が入状態になっているままで開閉器１を吊り上げることはできない。一方、開閉部３を切状態にし、ロック手段５によって吊上部材４を開閉器本体２に固定することで、吊上部材４を用いて開閉器１を吊り上げることができるようになる。従って、本実施形態に係る開閉器１は、開閉部３が入状態のときに吊り上げられることを防止することができるという優れた効果を奏し得る。
【００６１】
また、本実施形態に係る開閉器１によれば、吊上部材４を開閉器本体２に固定するとともに開閉部３の姿勢変更を規制するように構成されている。そのため、吊上部材４を開閉器本体２に固定しているときに開閉部３に外力が作用しても、該開閉部３の姿勢が変更されることを防止できる。すなわち、吊上部材４を吊り上げているときに、開閉部３が切状態から入状態に切り替わることを防止できる。
【００６２】
そして、切替部材５２を閉塞部５１２及び回転部５１０に挿し込んだ状態で回転させると、吊上部材４が抜け止めされるとともに、当該切替部材５２の抜け止めも行われるようになっている。そのため、吊上部材４を吊り上げているときに切替部材５２が閉塞部５１２及び回転部５１０から抜け落ちることを防止できる。従って、より安全に開閉器１を電柱に設置することができる。
【００６３】
なお、本発明に係る開閉器は、上記実施形態に限定されるものではなく、本発明の要旨を逸脱しない範囲内において種々変更を加え得ることは勿論である。
【００６４】
上記実施形態において、特に言及しなかったが、開閉器本体２の第一接続部２０には、電線として、分岐線のみならず、架線を接続することができる。また、開閉器本体２の第一接続部２０と同様に、開閉器本体２の第二接続部２１に対しても、電線として、分岐線のみならず、架線を接続することができる。
【００６５】
上記実施形態において、開閉部３のハンドル部３０１は、支軸３００の軸心周りで回転させることで開閉器本体２に対して姿勢変更可能になっていたが、これに限定されるものではなく、例えば、ハンドル部３０１は、スライド移動させることで開閉器本体２に対して姿勢変更できるように構成されていてもよい。
【００６６】
また、上記実施形態において、吊上部材４は、一対の挿込部４０，４０のそれぞれと、被掛止部４１とが一体的に形成されていたが、これに限定されるものではなく、例えば、一対の挿込部４０，４０のそれぞれと、被掛止部４１とが別体で形成されていてもよい。
【００６７】
また、上記実施形態において、ロック手段５は、回転部５１０及び閉塞部５１２に挿し込まれた切替部材５２を回転させることによって、ロック部材本体５０に挿し込まれた吊上部材４が抜止部材５１によって抜け止めされている状態と、ロック部材本体５０に挿し込まれた吊上部材４に対する抜止部材５１の抜け止めが解除された状態とが切り替えられるようになっていたが、これに限定されるものではなく、例えば、変位センサを設けるようにしてもよい。
【００６８】
具体的に説明すると、切替部材５２は、ハンドル部３０１の第一端側に設けられた被検知部材と、ハンドル部３０１が切姿勢になっているときに、第二方向において該被検知部材と対応する位置に設けられる検知部材とを備えるようにしてもよい。このようにする場合、ロック手段５は、被検知部材が検知部材と第二方向で対応する位置に移動したときに、ロック部材本体５０に挿し込まれた吊上部材４を抜け止めし、被検知部材が検知部材と第二方向で対応する位置からずれた位置に移動したときに、ロック部材本体５０に挿し込まれた吊上部材４に対する抜け止めを解除するようにすればよい。
【００６９】
また、上記実施形態において、ロック部材本体５０は、開閉器本体２に一体的に設けられていたが、これに限定されるものではなく、例えば、ロック部材本体５０は、開閉器本体２とは別体で構成されていてもよい。
【００７０】
また、上記実施形態において、規制部材６の第二端は、ハンドル部３０１の第一貫通穴３０１ａに連結されていたが、これに限定されるものではなく、例えば、ハンドル部３０１の第二貫通穴３０１ｂに連結されていてもよい。
【００７１】
また、上記実施形態において、開閉器本体には、一つの吊上部材と一つのロック部材とが設けられていたが、これに限定されるものではなく、例えば、第一方向で間隔をあけて並ぶ一対の吊上部材と、第一方向で間隔をあけて並ぶ一対のロック部材とを設けるようにしてもよい。このようにすれば、開閉器は、一対の吊上部材のそれぞれを吊り上げることができるため、姿勢を安定させた状態で電柱の上部に取り付けることができる。
【符号の説明】
【００７２】
１…開閉器、２…開閉器本体、３…開閉部、４…吊上部材、５…ロック部材、６…規制部材、２０…第一接続部、２１…第二接続部、２２…表示部、３０…操作部、４０…挿込部、４１…被掛止部、５０…ロック部材本体、５１…抜止部材、５２…切替部材、２２０…第一表示部、２２１…第二表示部、３００…支軸、３０１…ハンドル部、３０１ａ…第一貫通穴、３０１ｂ…第二貫通穴、４００…嵌合溝、５００…丸穴、５０１…挿込穴、５１０…回転部、５１０ａ…挿入穴、５１０ｂ…第一溝、５１１…ブレード部、５１２…閉塞部、５１２ａ…挿込口、５１２ｂ…第二溝、５２０…円柱部、５２１…突出部、５２２…把持部、５２３…把持部、Ｂ…ブッシング、Ｃ１…上流側電線、Ｃ２…下流側電線
【図１】
2013192346.tif 000003
【図２】
2013192346.tif 000004
【図３】
2013192346.tif 000005
【図４】
2013192346.tif 000006
【図５】
2013192346.tif 000007